(57)【要約】【課題】中継基板に対する遊技機本体前面側及び遊技機本体背面側からの配線接続作業が容易に行うことができ、組み付け後の遊技機本体における中継基板の組み付け面に対する設置面積が少ない遊技機を提供する。【解決手段】中継基板ユニットＵは、ベース部１７が内枠３へ組み付けられる前は、可動部材２２を中継基板２３の第１端子台２３ａがベース部１７に対して近接した第１位置で保持しており、ベース部１７が内枠３へ組み付けられる際に可動部材２２を中継基板２３の第１端子台２３ａが第１位置よりベース部１７の前方へ離間した第２位置へ変位させて保持される。【選択図】図７
2010240025.tif 000002
【特許請求の範囲】
【請求項１】
遊技機本体に対して前面枠がヒンジ部を中心に開閉可能に軸支された遊技機であって、
前記遊技機本体の前方に設けられる電気部品と配線接続される第１端子台と、前記遊技機本体の背面側に設けられる電気部品と配線接続される第２端子台が設けられる中継基板と、前記中継基板を保持する可動部材と、
前記遊技機本体の背面側に組み付けられ、組付前後で前記可動部材を移動可能に保持するベース部と、を具備した中継基板ユニットを備え、
前記中継基板ユニットは、前記ベース部が前記遊技機本体へ組み付けられる前は、前記可動部材を前記中継基板の第１端子台が前記ベース部に対して近接した第１位置で保持しており、前記ベース部が前記遊技機本体へ組み付けられる際に前記可動部材を前記中継基板の第１端子台が前記第１位置より前記ベース部の前方へ離間した第２位置へ変位させて保持されることを特徴とする遊技機。
【請求項２】
前記可動部材は前記第１位置と第２位置との間を回転可能に前記ベース部に軸支されており、前記ベース部材を前記遊技機本体に組み付けるときに、前記可動部材は前記遊技機本体の一部と当接して前記第１位置から前記第２位置へ回転変位する請求項１記載の遊技機。
【請求項３】
前記ベース部に回転可能に軸支された可動部材が前記第１位置で保持されるように付勢する付勢手段が設けられている請求項２記載の遊技機。
【請求項４】
前記中継基板の第２端子台の近傍に前記可動部材の回転軸が設けられている請求項２又は３記載の遊技機。
【請求項５】
前記可動部材には係止部が設けられており、当該係止部が前記遊技機本体に設けられた規制部と係止して前記可動部材が第２位置で保持される請求項１乃至４のいずれか１項に記載の遊技機。
【請求項６】
前記係止部を前記規制部へ誘導する誘導部が前記遊技機本体背面側に設けられている請求項５記載の遊技機。
【請求項７】
前記第１端子台は、前記可動部材が前記第２位置においてコネクタ接続方向が前側となるように基板実装されている請求項１乃至６のいずれか１項に記載の遊技機。
【請求項８】
前記可動部材は、前記中継基板を収納可能なケース体で構成されており、前記ケース体には、前記第１端子台と第２端子台のコネクタ接続方向と対応するように開口する開口部が設けられている請求項１乃至７のいずれか１項に記載の遊技機。
【発明の詳細な説明】
【技術分野】
【０００１】
本発明は、遊技機に関する。
【背景技術】
【０００２】
パチンコ機などの遊技機には、遊技機本体に窓部を備えた前面枠が開閉可能に組み付けられている。具体的には、パチンコ機の外形をなす矩形状の外枠に対して内枠が開閉可能に組み付けられ、該内枠を含む遊技機本体に対して前面枠が上下ヒンジ部を中心に開閉可能に支持されている。
【０００３】
遊技機本体の前面側に設けられる電気部品、例えば前面枠には装飾部としてランプ、スイッチ、スピーカ等の演出部品が組み付けられており、これらは遊技機本体の背面側に設けられる電気部品、例えば制御基板（主制御基板、払出制御基板、画像制御基板等）と配線接続されている。前面枠は遊技機本体に対して開閉可能に組み付けられているため、配線長が長くなり他の部品と干渉するおそれがあり配線収納スペースも必要になることから、遊技機本体前面側に設けられる電気部品と遊技機本体背面側に設けられる電気部品どうしは直接配線接続されずに遊技機本体等に設けられる中継基板を介して配線接続されることが多い。
【０００４】
この中継基板は、配線長を短くするため内枠のヒンジ側近傍に設けられ、前面枠を開放した状態で、例えば遊技機本体前方側の演出部品との配線接続並びに遊技機本体の背面側の制御基板との配線接続が行なわれるため、狭い空間内での接続作業が行ない難いという課題があった。
【０００５】
このため、中継基板との配線接続作業を行い易くするため、基板ユニットを保持するヒンジ装置によってリールユニットの上部奥側に垂下させて回転可能に取り付けられた可動取付装置が開示されている。この可動取付装置は、基板ユニットと接続ケーブルを接続する際には、基板ユニットをヒンジ装置を中心に結線部分が手前側になるように回転させたままハーネスを差し込んで電気的接続作業が行なえるようになっている（特許文献１参照）。
【０００６】
また、機枠の背面側に設けられた裏機構板に、外部中継基板を収納ボックスに収納して基板設置部材に対して機体の前後方向に回動可能に取り付けた回路基板取付装置が開示されている。収納ボックスは基板設置部材に設けられた凸部と係止して基板設置部材と平行に保持されている。基板側コネクタにケーブル側コネクタを接続する際には、収納ボックスを凸部から外して基板設置部材に対して機枠外側に向くように回動させて接続し、収納ボックスを凸部から外した状態に斜めに配置されている。また、外部中継基板と接続するケーブルに外力（引っ張り力）が作用すると、収納ボックスを回動させて回路基板とケーブルとが平行になるようにすることで、ケーブルにつながる配線部品の損傷を抑制している（特許文献２参照）。
【先行技術文献】
【特許文献】
【０００７】
【特許文献１】特許第３６１６７７６号公報
【特許文献２】特許第４０７９７３４号公報
【発明の概要】
【発明が解決しようとする課題】
【０００８】
上述した特許文献１，２の遊技機においては、中継基板に設けられた端子台に遊技機前方側コネクタ若しくは遊技機後方側コネクタを接続する際に、手作業でヒンジ装置を中心に手前側に基板を回転させた状態で当該基板姿勢を保持しながら配線接続する必要があり、コネクタの接続作業が容易ではなくコネクタの接続が確実とはいえない。特に中継基板は配線長を短くするため、前面枠のヒンジ側近傍に設けられることが多く、狭い作業空間で作業を強いられることがあるため、作業性が低下する。
また、中継基板を前方へ回転させた状態で配線接続され、接続後の中継基板を背面側へ戻して保持したり、完全に戻りきらない状態で保持したりするため、遊技機の組み付け面に対する中継基板の設置面積が拡大し易く、他の部品の配置空間が少なくなるという課題もある。
更には、前面枠の開閉にともない配線にテンションがかかるためコネクタ接続した後の中継基板は確実に固定されている必要がある。また、中継基板はユニット化されて、遊技機本体（例えば内枠）に別部品として組み付けられることが多いため、部品搬送時にはコンパクトに収納され、遊技機本体に組み付けられた後は、組み付け面に対する設置面積を要しないことが望ましい。
【０００９】
本発明の目的は、上記従来技術の課題を解決し、中継基板に対する遊技機本体前面側及び遊技機本体背面側からの配線接続作業が容易に行うことができ、組み付け後の遊技機本体における中継基板の組み付け面に対する設置面積が少ない遊技機を提供することにある。
【課題を解決するための手段】
【００１０】
本発明は上記目的を達成するため、次の構成を備えることを特徴とする。
遊技機本体に対して前面枠がヒンジ部を中心に開閉可能に軸支された遊技機であって、前記遊技機本体の前方に設けられる電気部品と配線接続される第１端子台と、前記遊技機本体の背面側に設けられる電気部品と配線接続される第２端子台が設けられる中継基板と、前記中継基板を保持する可動部材と、前記遊技機本体の背面側に組み付けられ、組付前後で前記可動部材を移動可能に保持するベース部と、を具備した中継基板ユニットを備え、前記中継基板ユニットは、前記ベース部が前記遊技機本体へ組み付けられる前は、前記可動部材を前記中継基板の第１端子台が前記ベース部に対して近接した第１位置で保持しており、前記ベース部が前記遊技機本体へ組み付けられる際に前記可動部材を前記中継基板の第１端子台が前記第１位置より前記ベース部の前方へ離間した第２位置へ変位させて保持されることを特徴とする。
ここで、遊技機本体とは、遊技機前面を覆う窓部が形成された前面枠を除く部位、例えば外枠、内枠、遊技盤などを含む部位をいうものとする。
【００１１】
また、前記可動部材は前記第１位置と第２位置との間を回転可能に前記ベース部に軸支されており、前記ベース部を前記遊技機本体に組み付けるときに、前記可動部材は前記遊技機本体の一部と当接して前記第１位置から前記第２位置へ回転変位することを特徴とする。
【００１２】
また、前記ベース部に回転可能に軸支された可動部材が前記第１位置で保持されるように付勢する付勢手段が設けられていることを特徴とする。
【００１３】
また、前記中継基板の第２端子台の近傍に前記可動部材の回転軸が設けられていることを特徴とする。
【００１４】
また、前記可動部材には係止部が設けられており、当該係止部が前記遊技機本体に設けられた規制部と係止して前記可動部材が第２位置で保持されることを特徴とする。
【００１５】
また、前記係止部を前記規制部へ誘導する誘導部が前記遊技機本体背面側に設けられていることを特徴とする。
【００１６】
また、前記第１端子台は、前記可動部材が前記第２位置においてコネクタ接続方向が前側となるように基板実装されていることを特徴とする。
【００１７】
また、前記可動部材は、前記中継基板を収納可能なケース体で構成されており、前記ケース体には、前記第１端子台と第２端子台のコネクタ接続方向と対応するように開口する開口部が設けられていることを特徴とする。
【発明の効果】
【００１８】
上述した遊技機を用いれば、遊技機本体の背面側に組み付けられる中継基板ユニットは、ベース部が遊技機本体へ組み付けられる前は、可動部材を中継基板の第１端子台がベース部に対して近接した第１位置で保持しており、ベース部が遊技機本体へ組み付けられる際に可動部材を中継基板の第１端子台が第１位置よりベース部の前方へ離間した第２位置へ変位させて保持される。これによれば、中継基板ユニットが遊技機本体の背面側に組み付けられたときには、第１端子台はベース部から離間した前方位置にせり出すため、手作業により基板姿勢を保持する必要はなく、広い作業空間を利用してコネクタの接続作業を容易に行うことができる。また、中継基板ユニットが組み付けられる前には、第１端子台はベース部に近接するので、コンパクトとなって取扱性がよく、例えば搬送時における端子台の破損を抑制することができる。
【００１９】
また、可動部材は第１位置と第２位置との間を回転可能にベース部に軸支されており、ベース部を遊技機本体に組み付けるときに、可動部材は遊技機本体の一部と当接して第１位置から第２位置へ回転変位することにより、中継基板ユニットの遊技機本体への組み付け作業が容易になる。また、中継基板ユニットはベース部が遊技機本体に組み付けられる前は、可動部材は第１位置へコンパクトに収納されるので取扱性が良く、遊技機本体に組み付けられると第２位置へ回転変位するので、遊技機本体前方からの配線接続作業が行ない易くなる。
【００２０】
また、ベース部に回転可能に軸支された可動部材が第１位置で保持されるように付勢する付勢手段が設けられていると、組み付け前の中継基板ユニットの搬送時等において中継基板をベース部に対してコンパクトに収納でき、衝撃や干渉から中継基板を保護することができる。
【００２１】
中継基板の第２端子台の近傍に可動部材の回転軸が設けられていると、第２端子台と遊技機背面側の電気部品と接続される配線長を短くすることができ、遊技機背面側の配線と第２端子台とのこじれが無くなる。
【００２２】
また、可動部材には係止部が設けられており、当該係止部が遊技機本体に設けられた規制部と係止して可動部材が第２位置で保持されるので、第２位置における中継基板の姿勢が安定し、遊技機本体前面側及び背面側の配線接続作業が行ない易くなる。
【００２３】
また、係止部を規制部へ誘導する誘導部が遊技機本体背面側に設けられていると、係止部が誘導部に誘導されながら規制部へ係止するので可動部材を第１位置から第２位置へスムーズに変位させることができる。
【００２４】
また、第１端子台は、可動部材が第２位置においてコネクタ接続方向が前側となるように基板実装されていると、遊技機本体前側からの配線と第１端子台とのコネクタ接続作業がし易くなる。
【００２５】
また、可動部材は、中継基板を収納可能なケース体で構成されており、ケース体には、第１端子台と第２端子台のコネクタ接続方向と対応するように開口する開口部が設けられているので、中継基板ユニットを搬送したり、遊技機本体に組み付けたりする際に、作業者が直に中継基板に触れることはないため、中継基板の保護が図れる。また、中継基板がケース体に収納されていても、ケース体には、第１端子台と第２端子台のコネクタ接続方向と対応するように開口する開口部が設けられているため、第２位置において開口部を通じた第１端子台と第２端子台に対するコネクタ接続作業が行ない易くなる。
また、第２位置において第１端子台及び第２端子台とのコネクタ接続方向が中継基板と平行方向となるように当該基板上に第１端子台と第２端子台とが基板実装されていると、中継基板の高さを抑えて遊技盤下方若しくは上方の領域を拡大することができる。
【図面の簡単な説明】
【００２６】
【図１】パチンコ機の正面図である。
【図２】前面枠を遊技機本体から開放した状態の斜視図である。
【図３】パチンコ機の背面図である。
【図４】遊技機本体と基板ユニットの部分斜視図である。
【図５】可動部の分解斜視図である。
【図６】基板ユニットを遊技機本体へ装着開始前後の状態を示す可動体を含む部分断面図である。
【図７】基板ユニットを遊技機本体へ装着完了前後の状態を示す可動体を含む部分断面図である。
【図８】中継基板への入力側及び出力側のコネクタ接続作業を示す断面説明図である。
【図９】他例に係る中継基板への入力側及び出力側のコネクタ接続作業を示す断面説明図である。
【図１０】他例に係る可動体を備えた基板ユニットを遊技機本体へ装着前後の状態を示す部分断面図である。
【発明を実施するための形態】
【００２７】
以下、本発明の実施形態について図面を参照しながら具体的に説明する。
図１乃至図３を参照して本実施形態に係る遊技機の概略構成について説明する。本実施例としては、遊技機の一例としてパチンコ機について説明するものとする。
【００２８】
先ずパチンコ機１の概略構成について説明する。図１において、パチンコ機１の外形をなす矩形状の外枠２の側部に対して上下ヒンジ部（図示せず）により内枠３（図２参照）が開閉可能に取り付けられ、該内枠３の側部に対して上下ヒンジ部４ａ，４ｂにより前面枠（ガラス枠）５が開閉可能に取り付けられている。
【００２９】
図２において、内枠３の前面側には遊技盤６が組み付けられている。また遊技盤６の下方には遊技領域へ向かって遊技球を発射する球発射装置７が組み付けられている。また、図１に示すように遊技盤６には、ガイドレール１１によって全体として円形の遊技領域が形成され、その遊技領域には図柄表示装置（液晶表示装置）８、電動チューリップ９，アタッカー１０などの入賞装置等が設けられている。
【００３０】
また、図１において、前面枠５の下方には貸球や賞球等の遊技球を一時的に貯留し、該遊技球を球発射装置７（図２参照）へ誘導する球受け皿１２が組み付けられている。球受け皿１２の前面には貯留した遊技球を図示しないドル箱に排出させるためシャッターを開閉する球抜きレバー１２ａが設けられている。球受け皿１２の右側には、球発射装置７によって遊技領域へ発射される遊技球の発射力を調節するための発射ハンドル１３が設けられている。
【００３１】
図３において、内枠３の背面側上部には貯留タンク１４が設けられ、貯留タンク１４にはパチンコ機１が配置されたホールの島から遊技球が供給される。内枠背面側は盤裏カバー１８に覆われており、その上下ヒンジ部４ａ，４ｂ側の側部には貯留タンク１４に接続する球通路１５や入賞等に応じて遊技球を球受け皿１２へ払い出す球払出装置１６が設けられている。また、盤裏カバー１８の下側には、内枠３の背面側に設けられる電気部品、例えば、画像処理基板や主制御基板、発射制御基板２０、払出制御基板２１等がケース体に各々収納されて組み付けられた基板ユニットＵが取り付けられている。そして、図４に示すように、基板ユニットＵには、上記各制御基板の配線を中継する中継基板２３が設けられている。なお、基板ユニットＵが、本発明における中継基板ユニットに該当する（以下、基板ユニットＵを中継基板ユニットＵという）。
【００３２】
また、中継基板ユニットＵは、図４に示すように、内枠３の背面側に組み付けられるベース部１７が設けられている。このベース部１７には、中継基板２３（図５参照）を保持する可動部材２２が回転変位可能に軸支されている。この可動部材２２はベース部１７と共に中継基板ユニットＵを構成する。
【００３３】
次に、中継基板ユニットＵの組み付け構造について図４乃至図８を参照して説明する。図４において、中継基板ユニットＵは、ベース部１７に可動部材２２が回転可能に軸支されたまま、内枠３の背面側に組み付けられる。可動部材２２は配線長を短くするためヒンジ側にあるのが好ましく、本実施例では下ヒンジ部４ｂの近傍に配置されている。可動部材２２に保持された中継基板２３（図５参照）には、パチンコ機本体（内枠３）の前方に設けられる電気部品、例えば前面枠５に設けられるランプ、スイッチ、スピーカ等の演出部品や発射ハンドル１３に設けられるスイッチ、センサなどの電気部品と、パチンコ機本体（内枠３）の背面側に設けられる電気部品（各種制御基板）との間で各々配線接続される。ここで、パチンコ機本体とは、パチンコ機前面を覆う窓部５ａが形成された前面枠５を除く部位、例えば外枠２、内枠３、遊技盤６などを含む部位をいうものとする。
【００３４】
次に、可動部材２２の一例について具体的に説明する。図４において、中継基板２３（図５参照）は配線接続用の開口部２４ａが設けられた基板ケース２４内に収納されて当該基板ケース２４の両側に設けられた回転軸（軸部２４ｄ，軸ピン２５）を中心にベース部１７に対して回転可能に組み付けられている。
【００３５】
図５において、中継基板２３は、第１ケース２４ｂと第２ケース２４ｃとで形成される筐体状の基板ケース２４内に収納される。中継基板２３には、前面枠５側の電気部品と配線接続される前方側コネクタ３３（図８（ｂ）参照）が差し込まれる第１端子台２３ａが基板実装されている。また、中継基板２３には、ベース部１７側の制御基板と配線接続される後方側コネクタ３１（図８（ａ）参照）が差し込まれる第２端子台２３ｂが基板実装されている。
【００３６】
また、図５に示すように第２ケース２４ｃの長手方向（回転軸の軸線方向）左側面には軸部２４ｄが突設され、長手方向右側面には軸ピン２５が軸ケース２６を貫通した状態でスリット溝２４ｅに嵌め込まれる。基板ケース２４は軸部２４ｄ及び軸ピン２５を回転軸として回転可能にベース部１７に組み付けられる。上記軸ケース２６の外周面にはねじりコイルばね２７（付勢手段）が嵌め込まれ、軸ピン２５の先端側にストッパー２８及びＥリング２９が嵌め込まれて抜け止めされるようになっている。
【００３７】
中継基板２３は、第２ケース２４ｃに複数設けられた位置決め突起２４ｆに基板孔２３ｃを挿通させることで位置決めされて組み付けられ、第１ケース２４ｂを第２ケース２４ｃと重ね合わせてねじ止めされて一体に組み付けられる。このとき、中継基板２３は、軸部２４ｄ及び軸ピン２５（回転軸）の近傍に第２端子台２３ｂが配置され、回転軸より離間した反対側（回転半径が大きい側）において第１ケース２４ｂに設けられた開口部２４ａから第１端子台２３ａが顕出するように組み付けられる。第１ケース２４ｂの長手方向左右側面には、係止ピン２４ｇ（係止部）が各々突設されている。
【００３８】
また、ねじりコイルばね２７の一端２７ｂは、第２ケース２４ｃの長手方向右側面に設けられた係止片２４ｈに係止され、他端２７ａはベース部１７に設けられた係止片１７ａに係止される（図６（ａ）参照）。このとき、基板ケース２４は、中継基板２３の第１端子台２３ａがベース部１７に対して近接した第１位置（図４参照）に保持されている。具体的には、中継基板２３がベース部１７の前面に平行な倒伏状態で保持されている。すなわち、中継基板２３の第１及び第２端子台２３ａ，２３ｂがベース部１７の前面に対向し、実装されていない面が前面側に位置する状態で保持されている。これにより、組み付け前の中継基板ユニットＵの搬送時等において中継基板２３をベース部１７に対してコンパクトに収納でき、衝撃や干渉から中継基板２３、特には第１及び第２端子台２３ａ，２３ｂを保護することができる。
【００３９】
図４において、内枠３には、上記第１位置で保持された基板ケース２４に対向する位置に開口部３ａが設けられている。また、開口部３ａの左右側壁部には背面側に向けて当接部３ｂが各々突設されている。また、内枠３の背面側には係止ピン２４ｇを規制部３ｄへ誘導するガイド壁３ｃ（誘導部）が左右両側に設けられている。規制部３ｄは、後述するように、第２位置において係止ピン２４ｇが係止して基板ケース２４の移動を規制するように設けられている。
【００４０】
ここで、可動部材２２に保持された中継基板２３への配線接続作業について説明する。図６（ａ）において、中継基板ユニットＵ（可動部材２２が回転変位可能に組み付けられたベース部１７）が内枠３に組み付けられる前においては、基板ケース２４はねじりコイルばね２７によって回転軸（軸部２４ｄ，軸ピン２５）を中心に時計回り方向に付勢されて中継基板２３の第１端子台２３ａがベース部１７に対して近接した第１位置で保持されている（図８（ａ）参照）。
【００４１】
このとき図８（ａ）に示すように、ベース部１７の開口部１７ｂ、第１ケース２４ｂの開口部２４ｉを通じて、例えば払出制御基板２１と接続する後方側配線３０に設けられた後方側コネクタ３１を第２端子台２３ｂと接続しておいてもよい。
【００４２】
次に、図６（ｂ）に示すように、内枠３の背面側に突設された当接部３ｂが第２ケース２４ｃの軸部（軸部２４ｄ，軸ピン２５）より下方の被当接部２４ｊに当接すると（図６（ａ）参照）、基板ケース２４はねじりコイルばね２７の付勢に抗して反時計回り方向へ回転し、係止ピン２４ｇがガイド壁３ｃに沿って回転する。
【００４３】
次いで図７（ａ）において、中継基板ユニットＵが内枠３に組み付け完了直前では、係止ピン２４ｇがガイド壁３ｃから規制部３ｄの入り口まで案内された状態にある。そして、図７（ｂ）に示すように、当接部３ｂがベース部１７の前面に突き当たる位置で、係止ピン２４ｇが規制部３ｄに嵌まり込んで第１端子台２３ａがベース部１７より前方へ離間した第２位置（図８（ｂ）参照）に保持され、基板ケース２４の移動が規制される。基板ケース２４は、略９０度反時計回り方向に回転し、開口部２４ａが形成されたケース先端部が内枠３の開口部３ａ内へ突出して水平姿勢で保持される。具体的には、中継基板２３がベース部１７の前面に垂直となる起立状態で保持されている。
この状態で、図８（ｂ）において、前面枠５側の電気部品と接続する前方側配線３２に設けられた前方側コネクタ３３を、中継基板２３の第１端子台２３ａと接続する。
【００４４】
よって、中継基板ユニットＵの内枠３への組み付けに連動して、中継基板２３を保持する可動部材２２が内枠３の前方へ回転変位した位置で保持されるため、手作業により基板姿勢を保持する必要はなく、広い作業空間を利用して内枠３の前面側及び背面側の配線接続作業が行ない易くなる。
中継基板２３は基板ケース２４に設けられた係止ピン２４ｇが内枠３に設けられた規制部３ｄと係止して第２位置で保持されるので、中継基板２３の組付け姿勢が安定し、配線作業（コネクタの抜き差し）が行ない易くなる。
また、出力側端子台２３ｂの近傍に基板ケース２４の回転軸が設けられているので、例えば払出制御基板２１と接続される後方側配線３０の配線長を短くでき、第２端子台２３ｂとのこじれも無くなる。
【００４５】
次に、中継基板２３の他例について図９を参照して説明する。
図８（ａ）（ｂ）では、第２位置において後方側コネクタ３１の接続方向が中継基板２３に対して交差する方向に第２端子台２３ｂが配置されていた。
これに対して、図９（ａ）（ｂ）に示すように、第２位置において前方側コネクタ３３及び後方側コネクタ３１の接続方向が中継基板２３と平行方向となるように当該基板２３上に第１端子台２３ａと第２端子台２３ｂとが対向して配置されていてもよい。また、基板ケース２４のうち第１ケース２３ｂの短手方向両端には開口部２４ａ，２４ｉが各々形成されている。
【００４６】
図９（ａ）に示すように、基板ケース２４が中継基板２３の第１端子台２３ａがベース部１７に近接した第１位置にあるときは、後方側コネクタ３１は第２端子台２３ｂとは接続し難い。このため、中継基板ユニットＵを内枠３へ組み付けた状態、即ち図９（ｂ）に示すように、基板ケース２４が中継基板２３の第１端子台２３ａをベース部１７より前方へ離間した第２位置へ回転した状態で、第２端子台２３ｂに開口部２４ｉを通じて後方側コネクタ３１を接続する。
この場合、中継基板２３が高さを抑えて内枠３に組み付けられるので遊技盤６の下方の領域を拡大することができる。
【００４７】
また、図７（ａ）（ｂ）において、可動部材２２はパチンコ機本体の水平方向に回転軸（軸部２４ｄ，軸ピン２５）を設けていたが、鉛直方向に回転軸を設けてもよい。図１０（ａ）（ｂ）において、中継基板ユニットＵの可動体２２の構成や内枠３の構成は、図４と同様であるので同一番号を付して説明を援用するものとする。
【００４８】
図１０（ａ）は内枠３に中継基板ユニットＵを内枠３に組み付ける前の状態を示す。基板ケース２４は、ねじりコイルばね２７により反時計回り方向へ付勢されて中継基板２３の第１端子台２３ａがベース部１７に近接した第１位置で保持されている。具体的には、中継基板２３がベース部１７の前面に沿って平行となるように倒伏姿勢で保持されている。このとき、払出制御基板２１と接続する後方側配線３０に設けられた後方側コネクタ３１（図９（ａ）参照）を第２端子台２３ｂ（図９（ａ）参照）と接続しておいてもよい。
【００４９】
図１０（ｂ）は内枠３に中継基板ユニットＵを組み付けた後の状態を示す。内枠３の背面側に突設された当接部３ｂが第２ケース２４ｃの軸部より左側（ヒンジ側）の被当接部２４ｊに当接すると、基板ケース２４はねじりコイルばね２７の付勢に抗して時計回り方向へ略９０度回転し、当接部３ｂがベース部１７の前面に突き当たる位置で、係止ピン２４ｇが規制部３ｄに嵌まり込んで第１端子台２３ａがベース部１７より前方へ離間した第２位置に保持され、基板ケース２４の移動が規制される。このとき、開口部２４ａ（図４参照）が形成された基板ケース先端部が内枠３の開口部３ａ内へ突出してベース部１７の前面に対して垂直となる起立姿勢で保持される。この状態で、前面枠５側の電気部品と接続する前方側配線３２に設けられた前方側コネクタ３３（図９（ｂ）参照）を、中継基板２３の第１端子台２３ａ（図９（ｂ）参照）と接続するようにしてもよい。
【００５０】
図１０（ａ）（ｂ）に示すように、基板ケース２４の鉛直方向に回転軸（軸ピン２４ｄ，軸部２５）を設けることにより、前方側コネクタ３３（図９（ｂ）参照）をよりヒンジ側近傍に寄せて後方側配線３０の長さを短縮することができる。また、前方側コネクタ３３（図９（ｂ）参照）が鉛直方向（ヒンジ部の軸線方向）に配置されるので、前面枠５に設けられる電気部品に接続する前方側配線３２（図９（ｂ）参照）の長さを合わせ易くなる。
【００５１】
尚、基板ケース２４を付勢するねじりコイルばね２７は、基板ケース２４と一体に成形された樹脂ばねを用いてもよい。また、基板ケース２４を、第１位置及び第２位置において仮固定される構成を採用すれば、コイルばね２７などの付勢手段を省略してもよい。
また、可動部材２２に保持される中継基板２３は、必ずしも基板ケース２４内に収納されている必要はなく、中継基板２３の両側端部に回転軸や係止ピン２４ｇが設けられていてもよい。
また、上記実施形態においては、基板ケース２４は回転軸中心に回転するもので説明したが、これに限定されるものではない。
【００５２】
上述した実施形態は、遊技機の一例としてパチンコ機について説明したが、他の遊技機、例えば雀球遊技機やアレンジボール遊技機などに適用してもよい。
【符号の説明】
【００５３】
１  パチンコ機
２  外枠
３  内枠
３ａ，１７ｂ，２４ａ，２４ｉ  開口部
３ｂ  当接部  
３ｃ  ガイド壁  
３ｄ  規制部
４ａ  上ヒンジ部
４ｂ  下ヒンジ部
５  前面枠
５ａ  窓部  
６  遊技盤
７  球発射装置
８  図柄表示装置  
９  電動チューリップ  
１０  アタッカー  
１１  ガイドレール  
１２  球受け皿  
１２ａ  球抜きレバー  
１３  発射ハンドル  
１４  貯留タンク  
１５  球通路  
１６  球払出装置  
１７  べース部
１７ａ，２４ｈ  係止片  
１８  盤裏カバー  
２０  発射制御基板  
２１  払出制御基板  
２２  可動部  
Ｕ  中継基板ユニット  
２３  中継基板  
２３ａ  第１端子台  
２３ｂ  第２端子台  
２３ｃ  基板孔
２４  基板ケース  
２４ｂ  第１ケース  
２４ｃ  第２ケース  
２４ｄ  軸部（回転軸）  
２４ｅ  スリット溝  
２４ｆ  位置決め突起  
２４ｇ  係止ピン  
２４ｊ  被当接部
２５  軸ピン（回転軸）  
２６  軸ケース  
２７  ねじりコイルばね  
２８  ストッパー  
２９  Ｅリング  
３０  後方側配線  
３１  後方側コネクタ  
３２  前方側配線  
３３  前方側コネクタ
【図１】
2010240025.tif 000003
【図２】
2010240025.tif 000004
【図３】
2010240025.tif 000005
【図４】
2010240025.tif 000006
【図５】
2010240025.tif 000007
【図６】
2010240025.tif 000008
【図７】
2010240025.tif 000009
【図８】
2010240025.tif 000010
【図９】
2010240025.tif 000011
【図１０】
2010240025.tif 000012